(57)【要約】【課題】  複数の記録媒体を備え、いずれの記録媒体に格納された映像ファイルを他の記録媒体に複写できる携帯用複合装置および記録媒体間の映像ファイル複写方法を提供する。【解決手段】  本発明に係る携帯用複合装置は、第１および第２の記録媒体と、第１の記録媒体に格納された映像ファイルを第２の記録媒体に複写するための所定メニューが含まれたメニュー画面が表示される表示部と、所定メニューを選択するための操作部と、メニュー画面を表示部に表示し、所定メニューが選択されれば、第１の記録媒体に格納された映像ファイルを第２の記録媒体に同一なファイル名およびファイル拡張子に複写する制御部とを含む。【選択図】      図４Ａ
2005198265.tif 000002
【特許請求の範囲】
【請求項１】
第１および第２の記録媒体と、
前記第１の記録媒体に格納された映像ファイルを前記第２の記録媒体に複写するための所定メニューが含まれたメニュー画面が表示される表示部と、
表示された前記メニュー画面を参照し、前記所定メニューを選択するための操作部と、
前記メニュー画面を前記表示部に表示し、前記操作部を介して前記所定メニューが選択されれば、前記第１の記録媒体に格納された前記映像ファイルを前記第２の記録媒体に前記映像ファイルと同一なファイル名およびファイル拡張子に複写する制御部とを含むことを特徴とする携帯用複合装置。
【請求項２】
前記制御部は、前記第２の記録媒体に前記映像ファイルと同一な前記ファイル名およびファイル拡張子を有する映像ファイルが存する場合、前記映像ファイルの前記ファイル名を変更して複写することを特徴とする請求項１に記載の携帯用複合装置。
【請求項３】
前記所定メニューには、前記映像ファイルが複写される前記第２の記録媒体の名称が表示されることを特徴とする請求項１に記載の携帯用複合装置。
【請求項４】
前記メニュー画面には、複写対象となる前記映像ファイルが格納された前記第１の記録媒体の名称が表示されることを特徴とする請求項３に記載の携帯用複合装置。
【請求項５】
前記第１および第２の記録媒体には、前記映像ファイルがファイルの種類によってそれぞれ異なるフォルダに格納され、
前記制御部は、前記映像ファイルの前記第１および第２の記録媒体間の複写の際、前記ファイルの種類によって対応される前記フォルダ間の複写がなされるように制御することを特徴とする請求項１に記載の携帯用複合装置。
【請求項６】
前記制御部は、前記第１の記録媒体に格納された複写対象である前記映像ファイルと同一な種類の映像ファイルを前記第２の記録媒体にさらに複写することを特徴とする請求項５に記載の携帯用複合装置。
【請求項７】
前記制御部は、前記第１の記録媒体に格納された前記映像ファイルの中、前記操作部を介して選択された前記映像ファイルを前記第２の記録媒体に複写することを特徴とする請求項５に記載の携帯用複合装置。
【請求項８】
前記制御部は、前記第１の記録媒体に格納された前記映像ファイルの付加情報が記録された付加情報ファイルを前記第２の記録媒体にさらに複写することを特徴とする請求項５に記載の携帯用複合装置。
【請求項９】
前記制御部は、前記メニュー画面を生成するＧＵＩ生成部を含むことを特徴とする請求項１に記載の携帯用複合装置。
【請求項１０】
前記第１の記録媒体は内蔵型記録媒体であり、
前記第２の記録媒体は装着および取外しの自在な着脱式記録媒体であり、
前記第２の記録媒体が分離された場合、前記メニュー画面には前記所定メニューが非活性化され表示されることを特徴とする請求項１に記載の携帯用複合装置。
【請求項１１】
第１および第２の記録媒体を備えた携帯用複合装置の記録媒体間の映像ファイルの複写方法において、
ａ）前記第１の記録媒体に格納された映像ファイルを前記第２の記録媒体に複写するための所定メニューが含まれたメニュー画面を表示するステップと、
ｂ）表示された前記メニュー画面を参照して前記所定メニューを選択するステップと、
ｃ）前記所定メニューが選択されれば、前記第１の記録媒体に格納された前記映像ファイルを前記第２の記録媒体に前記映像ファイルと同一なファイル名およびファイル拡張子に複写するステップとを含むことを特徴とする携帯用複合装置の記録媒体間の映像ファイル複写方法。
【請求項１２】
前記ｃ）ステップは、前記第２の記録媒体に前記映像ファイルと同一な前記ファイル名およびファイル拡張子を有する映像ファイルが存する場合、前記映像ファイルの前記ファイル名を変更して複写することを特徴とする請求項１１に記載の携帯用複合装置の記録媒体間の映像ファイル複写方法。
【請求項１３】
前記所定メニューには、前記映像ファイルが複写される前記第２の記録媒体の名称が表示されることを特徴とする請求項１１に記載の携帯用複合装置の記録媒体間の映像ファイル複写方法。
【請求項１４】
前記メニュー画面には、複写対象となる前記映像ファイルが格納された前記第１の記録媒体の名称が表示されることを特徴とする請求項１３に記載の携帯用複合装置の記録媒体間の映像ファイル複写方法。
【請求項１５】
前記第１および第２の記録媒体には、前記映像ファイルがファイルの種類によってそれぞれ異なるフォルダに格納され、
前記ｃ）ステップは前記ファイルの種類によって、対応される前記フォルダ間の複写がなされるようにすることを特徴とする請求項１１に記載の携帯用複合装置の記録媒体間の映像ファイル複写方法。
【請求項１６】
前記ｃ）ステップは、前記第１の記録媒体に格納された複写対象である前記映像ファイルと同一な種類の映像ファイルを前記第２の記録媒体にさらに複写することを特徴とする請求項１５に記載の携帯用複合装置の記録媒体間の映像ファイル複写方法。
【請求項１７】
前記ｃ）ステップは、前記第１の記録媒体に格納された前記映像ファイルの中、選択された前記映像ファイルを前記第２の記録媒体に複写することを特徴とする請求項１５に記載の携帯用複合装置の記録媒体間の映像ファイル複写方法。
【請求項１８】
前記ｃ）ステップは、前記第１の記録媒体に格納された前記映像ファイルの付加情報が記録された付加情報ファイルを前記第２の記録媒体にさらに複写することを特徴とする請求項１５に記載の携帯用複合装置の記録媒体間の映像ファイル複写方法。
【請求項１９】
前記第１の記録媒体は内蔵型記録媒体であり、
前記第２の記録媒体は装着および取外しの自在な着脱式記録媒体であり、
前記第２の記録媒体が分離された場合、前記メニュー画面には前記所定メニューが非活性化され表示されることを特徴とする請求項１１に記載の携帯用複合装置の記録媒体間の映像ファイル複写方法。
【発明の詳細な説明】
【技術分野】
【０００１】
本発明は、携帯用複合装置および記録媒体間の映像ファイル複写方法に関し、特に、複数の記録媒体を備えいずれの記録媒体に格納された映像ファイルを他の記録媒体に複写できる携帯用複合装置および記録媒体間の映像ファイル複写方法に関する。
【背景技術】
【０００２】
携帯用複合装置とは、カムコーダー、デジタルカメラ、ＭＰ３プレーヤー、ボイスレコーダー、データ格納装置、およびウェッブカメラなどの機能を備え、ユーザが携帯できるように小型化された装置のことを言う。かかる携帯用複合装置は、目覚ましく発展を遂げたデジタル技術がカムコーダーのような映像処理装置に合わせられその具現が可能となった。
【０００３】
携帯用複合装置は、撮影された映像が格納される記録媒体として、ハードディスクとメモリカードを備えているため、撮影された映像はユーザの選択によっていずれかの１つに格納される。
【０００４】
一方、携帯用複合装置を用いることに当たって、ハードディスクに格納された映像をメモリカードに複写するか、または反対に複写する必要性が要請される場合がある。ハードディスクは、格納容量が大きいものの、内蔵型であるため格納されたデータを他の外部装置に伝達することは不便であり、メモリカードの長短所を反対に有している。
【０００５】
すなわち、ユーザはメモリカードの不足した格納空間を確保するため格納されたデータをハードディスクに複写しなければならない時が生じ得る。ハードディスクに格納されたデータを他の外部装置へ容易に伝達するための事前措置として、メモリカードの複写が行なければならない時も生じる。
【０００６】
最近では、電子製品の使用が大衆化され、且つその機能も複雑になることに伴って、一般の人が容易に操作できるよう製品を設計することが重要である。従って、前述した記録媒体間の複写においても、ユーザがより便利に操作できるようにインタフェースを提供する。
【０００７】
さらに、最近には大容量のハードディスクと大容量のメモリカードが開発され出回っているので、これらに記録されるファイルの個数が多くなることにつれ適したファイル管理が要請される。また記録媒体間の複写が行なわれる過程にもユーザがファイル管理と検索が容易にできるよう備えられる必要性がある。
【発明の開示】
【発明が解決しようとする課題】
【０００８】
本発明は前述した問題点を解決するために案出されたものであって、その目的としては、複数の記録媒体を備え、いずれの記録媒体に格納された映像ファイルを他の記録媒体に複写できる携帯用複合装置および記録媒体間の映像ファイル複写方法を提供することにある。
【課題を解決するための手段】
【０００９】
前記目的を達成するための本発明に係る携帯用複合装置は、第１および第２の記録媒体と、前記第１の記録媒体に格納された映像ファイルを前記第２の記録媒体に複写するための記録媒体間の複写メニューが含まれたメニュー画面が表示される表示部と、表示された前記メニュー画面を参照し、前記記録媒体間の複写メニューを選択するための操作部と、前記メニュー画面を前記表示部に表示し、前記操作部を介して前記記録媒体間の複写メニューが選択されれば、前記第１の記録媒体に格納された前記映像ファイルを前記第２の記録媒体に前記映像ファイルと同一なファイル名およびファイル拡張子に複写する制御部とを含む。
【００１０】
そして、前記制御部は、前記第２の記録媒体に前記映像ファイルと同一な前記ファイル名およびファイル拡張子を有する映像ファイルが存する場合、前記映像ファイルの前記ファイル名を変更して複写することができる。
【００１１】
また、前記記録媒体間の複写メニューには、前記映像ファイルが複写される前記第２の記録媒体の名称が表示されることが好ましい。また、前記メニュー画面には、複写対象となる前記映像ファイルが格納された前記第１の記録媒体の名称が表示されることが好ましい。
【００１２】
そして、前記第１および第２の記録媒体には、前記映像ファイルがファイルの種類によってそれぞれ異なるフォルダに格納され、前記制御部は、前記映像ファイルの前記第１および第２の記録媒体間の複写の際、前記ファイルの種類によって対応される前記フォルダ間に複写がなされるように制御することが好ましい。
【００１３】
前記制御部は、前記第１の記録媒体に格納された複写対象である前記映像ファイルと同一な種類の映像ファイルを前記第２の記録媒体にさらに複写できる。また、前記制御部は、前記第１の記録媒体に格納された前記映像ファイルの中、前記操作部を介して選択された前記映像ファイルを前記第２の記録媒体に複写できる。さらに、前記制御部は、前記第１の記録媒体に格納された前記映像ファイルの付加情報が記録された付加情報ファイルを前記第２の記録媒体にさらに複写できる。
【００１４】
それから前記制御部は、前記メニュー画面を生成するＧＵＩ生成部を含むことができる。
【００１５】
尚、前記第１の記録媒体は内蔵型記録媒体であり、前記第２の記録媒体は装着および取外しの自在な着脱式記録媒体であり、前記第２の記録媒体が分離された場合、前記メニュー画面には前記記録媒体間の複写メニューが非活性化され表示されることが好ましい。
【００１６】
一方、前記第１および第２の記録媒体を備えた携帯用複合装置の記録媒体間の映像ファイルの複写方法において、ａ）前記第１の記録媒体に格納された映像ファイルを前記第２の記録媒体に複写するための記録媒体間の複写メニューが含まれたメニュー画面を表示するステップと、ｂ）表示された前記メニュー画面を参照し前記記録媒体間の複写メニューを選択するステップと、ｃ）前記記録媒体間の複写メニューが選択されれば、前記第１の記録媒体に格納された前記映像ファイルを前記第２の記録媒体に前記映像ファイルと同一なファイル名およびファイル拡張子に複写するステップとを含む。
【００１７】
そして、前記ｃ）ステップは、前記第２の記録媒体に前記映像ファイルと同一な前記ファイル名およびファイル拡張子を有する映像ファイルが存する場合、前記映像ファイルの前記ファイル名を変更して複写することができる。
【００１８】
さらに、前記記録媒体間の複写メニューには、前記映像ファイルが複写される前記第２の記録媒体の名称が表示されることが好ましい。また、前記メニュー画面には、複写対象となる前記映像ファイルが格納された前記第１の記録媒体の名称が表示されることが好ましい。
【００１９】
前記第１および第２の記録媒体には、前記映像ファイルがファイルの種類によってそれぞれ異なるフォルダに格納され、前記ｃ）ステップは前記ファイルの種類によって、対応される前記フォルダ間に複写がなされるようにすることが好ましい。
【００２０】
また、前記ｃ）ステップは、前記第１の記録媒体に格納された複写対象である前記映像ファイルと同一な種類の映像ファイルを前記第２の記録媒体にさらに複写できる。そして、前記ｃ）ステップは、前記第１の記録媒体に格納された前記映像ファイルの中、選択された前記映像ファイルを前記第２の記録媒体に複写できる。そして、前記ｃ）ステップは、前記第１の記録媒体に格納された前記映像ファイルの付加情報が記録された付加情報ファイルを前記第２の記録媒体にさらに複写できる。
【００２１】
尚、前記第１の記録媒体は内蔵型記録媒体であり、前記第２の記録媒体は装着および取外しの自在な着脱式記録媒体であり、前記第２の記録媒体が分離された場合、前記メニュー画面には前記記録媒体間の複写メニューが非活性化され表示されることが好ましい。
【発明の効果】
【００２２】
本発明によると、いずれの記録媒体に格納された映像ファイルを他の記録媒体に複写するに当たって、複写しようとするファイルが格納されている記録媒体と複写対象記録媒体が自動にメニュー画面を介して提供されるので、ユーザはその操作の便利性を提供される。さらに、記録媒体間の複写時に映像ファイルの種類に応じて対応されるフォルダに格納されているため、複写完了の後ファイル検索とファイル管理が容易となる。
【発明を実施するための最良の形態】
【００２３】
以下、添付の図面を参照して本発明の好適な実施例を詳述する。
【実施例】
【００２４】
図１Ａは、本発明に係る携帯用複合装置の前面および右側を示した斜視図である。同図から分かるように、携帯用複合装置の前面には、被写体の撮影に用いられるレンズ部２１１、リモコン信号を伝達されるためのリモコン受信部１１１、イヤホーンを接続するためのイヤホーン端子１１３、ＰＣやプリンタと直列通信のためのＵＳＢ端子１１５、および電源供給機（図示せず）を介して、外部電源を供給されるための電源供給ケーブル連結端子１１７が備えられる。
【００２５】
このように、携帯用複合装置の前面部には主に外部装置と接続するための端子が備えられており、携帯用複合装置の右側には静画を撮影するためのフォトボタン２３１ａと内部にバッテリを装着するためのバッテリカバー１２１が備えられる。さらに、携帯用複合装置の上部面には外部からの音響信号を入力されるためのマイク２７１が備えられる。
【００２６】
図１Ｂは、携帯用複合装置の下部を示した斜視図である。同図を参照するに、携帯用複合装置の下部面には三脚台を装着するための三脚台固定部１３１とｃｒａｄｌｅ（図示せず）を介して、電源と映像信号を受信するためのｃｒａｄｌｅ連結端子１３３が備えられる。
【００２７】
以下、携帯用複合装置の外部に備えられた操作ボタンについて、図１Ｃを参照しながら詳細に説明する。同図は、携帯用複合装置の背面および左側を示した斜視図である。ユーザの操作上の便利のため、携帯用複合装置の操作ボタンは、同図に示したように、携帯用複合装置の背面またはＬＣＤパネル１５０にほとんどが備えられている。
【００２８】
携帯用複合装置の背面には、レンズ部２１１をズームイン/ズームアウトするためのズームスイッチ２３１ｂ、動画を撮影するための撮影ボタン２３１ｃ、携帯用複合装置の動作モード（格納/再生/パワーオフモード）を選択するための動作モード選択スイッチ２３１ｄ、後述するモードボタン２３１ｇによって選択されたモードに対するサブメニュー画面をＬＣＤ２４３にディスプレーするためのメニューボタン２３１ｅ、ＬＣＤ２４３にディスプレーされたメニュー画面上でカーソルを特定メニューに移動させ、カーソルが位置したメニューを選択するためのメニューダイアル２３１ｆが備えられている。
【００２９】
さらに、携帯用複合装置に背面には、メモリカードを装着するためのメモリカード結合部１４３と表示ランプ１４１が備えられている。表示ランプ１４１は、電源表示ランプと充電表示ランプなどから構成されるが、電源表示ランプは携帯用複合装置がパワーオンされた時発光し、充電表示ランプは携帯用複合装置が充電中である時にはオレンジ色を、充電済みのときは青色で発光する。
【００３０】
そして、携帯用複合装置に対して位置変更が可能に結合されたＬＣＤパネル１５０には、撮影/再生される映像とメニュー画面がディスプレーされるＬＣＤ２４３、選択された動作モードのサブメニュー画面をＬＣＤ２４３にディスプレーさせるためのモードボタン２３１ｇ、巻き戻し（＜＜）ボタン２３１ｈ、早送り（＞＞）ボタン２３１ｉ、再生/停止（＞｜｜）ボタン２３１ｊ、停止（■）ボタン２３１ｋが備えられる。
【００３１】
図２は、携帯用複合装置の内部ブロック図である。携帯用複合装置は、撮影部２１０、ＮＴＳＣ/ＰＡＬデコーダー２２０、操作部２３１、第２の制御部２３３、フラッシュメモリ２３５、表示部２４０、格納部２５０、ＵＳＢ（ユニバーサルシリアルバス）インタフェース部２６１、ＳＤＲＡＭ（シンクロナスダイナミックランダムアクセスメモリ）２６３、オーディオ信号処理部２７０、メイン制御ブロック３００を備える。
【００３２】
撮影部２１０は、レンズを介して入射される光信号を電気信号に光電変換し、変換された信号について所定の信号処理を行なう。かかる機能を果す撮影部２１０はレンズ部２１１、レンズ駆動部２１３、ＣＣＤ２１５およびＣＤＳ/ＡＧＣ/ＡＤＣ（Correlated  Double  Sampler/Auto  Gain  Controller/Analog-to-Digital  Converter）２１７を備える。
【００３３】
レンズ駆動部２１３は第２の制御部２３３の制御に応じてレンズ部２１１を駆動させるが、具体的にはレンズ部２１１をズームイン/ズームアウトさせ焦点を自動調節し、レンズ部２１１に備えられた絞り（図示せず）の開閉量を調節する。
【００３４】
ＣＣＤ２１５は、レンズ部２１１を介して入射される光学像を電気信号に変換して出力する。つまり、被写体の光学像はレンズ部２１１によってＣＣＤ２１５の光学面像に像が浮かび、ＣＣＤ２１５は感光面像に結晶された光学像を電気信号に転換して水平と垂直の走査により１次元の電子信号の形で出力する。
【００３５】
ＣＤＳ/ＡＧＣ/ＡＤＣ２１７は、ＣＣＤ２１５から出力される信号で相関二重サンプリング回路を用いてノイズを除去し、自動利得制御回路を用いて信号のレベルが一定に保たれるよう利得を調整し、Ａ/Ｄコンバーターを用いてデジタル信号に変換する。
【００３６】
ＮＴＳＣ/ＰＡＬデコーダー２２０は、ビデオライン入力端子（図示せず）を介して入力されるＮＴＳＣ方式やＰＡＬ方式の信号をデジタル信号に変換してメイン制御ブロック３００に伝達する。ＮＴＳＣ方式やＰＡＬ方式は標準化されたＴＶ方式の１つであって、国内ではＮＴＳＣ方式を使用し、ヨーロッパではＰＡＬ方式を使用する。
【００３７】
メイン制御ブロック３００は、撮影部２１０、ＮＴＳＣ/ＰＡＬデコーダー２２０、ＵＳＢインタフェース部２６１から印加されるデジタル信号を所定のフォーマットのデータに圧縮し格納部２５０へ格納する。さらに、メイン制御ブロック３００は、格納部２５０に格納されたデータを伸張して表示部２４０に印加できる。そして、オーディオ信号処理部２７０から印加されたデータを格納部２５０に格納し、格納されたデータをオーディオ信号処理部２７０に印加する。メイン制御ブロック３００は、その以外にも装置内の全般的な動作を制御し、製品の小型化のためのチップとして製造される。
【００３８】
かかる機能を行なうメイン制御ブロック３００は、ＤＳＰ（デジタル信号プロセッサ）３１０、ＯＤＭ（オプティカルディテクションモジュール）３２０、ＭＵＸ（マルチプレクサ）３３０、ＣＯＤＥＣ３４０、ＧＵＩ（グラフィカルユーザインターフェース）生成部３５０、第１の制御部３６０、メモリカードインタフェース部３７１、ＣＦ（コンパクトフラッシュ（登録商標））インタフェース部３７３、ＤＭＡ（ダイレクトメモリアクセス）３７５、およびシステムバス３８０を備える。
【００３９】
ＤＳＰ３１０は、撮影部２１０から印加されるデジタル信号について所定の信号処理を行なった後、ＭＵＸ３３０またはシステムバス３８０に印加する。さらに、ＤＳＰ３１０は、撮影部２１０から印加されるデジタル信号を輝度（Ｙ）信号とクロミナンス（Ｃ）信号とに分離しＯＤＭ３２０に印加する。
【００４０】
ＯＤＭ３２０は、ＤＳＰ３１０から印加されたＹ信号とＣ信号に基づいて、制御情報であるＯＤＭデータを生成し、これを第１の制御部３６０に出力する。具体的に、ＯＤＭデータは、ＣＣＤ２１５に入射される光量を最適化するためのＡＥ（自動露出）データ、フォーカスレンズの焦点を自動に合わせるためのＡＦ（自動焦点）データ、光源の色温度による色のずれ現象を自動補正するためのＡＷＢ（自動白バランス）データなどを含む。
【００４１】
ＭＵＸ３３０は、ＤＳＰ３１０の出力信号およびＮＴＳＣ/ＰＡＬデコーダー２２０の出力信号のいずれか１つをＣＯＤＥＣ３４０およびＧＵＩ生成部３５０のいずれかに印加する。
【００４２】
ＣＯＤＥＣ３４０は入力されるデータを所定のフォーマットで圧縮し、必要なときに圧縮されたデータを再度伸張する。詳細には、ＣＯＤＥＣ３４０は、入力されるデータが動画データである場合にはＭＰＥＧ４フォーマットで圧縮し、入力されるデータが静画である場合にはＪＰＥＧフォーマットで圧縮する。
【００４３】
ＧＵＩ生成部３５０にはＧＵＩ環境の構築に用いられるメニュー画面のようなグラフィックデータなどが格納され、ＧＵＩ生成部３５０は第１の制御部３６０の制御によってＭＵＸ３３０から出力される映像のメニュー画面を組み合わせることができる。メニュー画面は、携帯用複合装置の機能選択時にユーザの便利性のために提供されるグラフィック画面である。
【００４４】
第１の制御部３６０は、メイン制御ブロック３００の全般の動作を制御する３２ビットＲＩＳＣ（Reduced  Instruction  Set  Computing）プロセッサである。詳細には、第１の制御部３６０はＣＯＤＥＣ３４０とＧＵＩ生成部３５０の動作を制御し、ＯＤＭ３２０から印加されたＯＤＭデータのなかでＡＥデータとＡＦデータを第２の制御部２３３に伝達する。
【００４５】
さらに、第１の制御部３６０はシステムバス３８０を介して、種々の外部デバイスとインタフェ-シングできる。システムバス３８０には、メモリカード２５１とインタフェースするためのメモリカードインタフェース部３７１、ＴＩＣ２５３を介してＨＤＤ２５５とインタフェースするためのＣＦインタフェース部３７３、外部装置であるＰＣまたはプリンタとインタフェースするためのＵＳＢインタフェース部２６１、ＤＭＡ３７５およびオーディオ信号処理部２７０が接続されている。
【００４６】
操作部２３１は、携帯用複合装置の機能選択および動作制御に関連した操作命令を入力されるためのユーザインタフェース装置である。操作部２３１には図１Ｃにて詳細に説明した、フォトボタン２３１ａ、ズームスイッチ２３１ｂ、撮影ボタン２３１ｃ、動作モード選択スイッチ２３１ｄ、メニューボタン２３１ｅ、メニューダイアル２３１ｆ、モードボタン２３１ｇなどが備えられる。
【００４７】
第２の制御部２３３は、操作部２３１を介してユーザから機能選択および動作制御と関した操作命令の入力を行なって、第１の制御部３６０に伝達する。さらに、第２の制御部２３３は、第１の制御部３６０から受信されたＡＥデータとＡＦデータとに基づいてレンズ駆動部２１３を制御する。
【００４８】
フラッシュメモリ２３５には、第１の制御部３６０にて必要とされるブーティングプログラムなどの装置の動作に用いられるシステムプログラムおよび電源が消えたとしても保管されるべき重要なデータと応用プログラムが格納される。
【００４９】
表示部２４０は、メイン制御ブロック３００から出力される映像をディスプレーする。係る機能を行なう表示部２４０は、ＮＴＳＣ/ＰＡＬエンコーダー２４１、およびＬＣＤ（液晶表示）２４３を備える。
【００５０】
ＮＴＳＣ/ＰＡＬエンコーダー２４１は、メイン制御ブロック３００から出力される映像信号をＮＴＳＣ方式やＰＡＬ方式の映像信号に変換してＬＣＤ２４３と外部装置であるＴＶに印加する。
【００５１】
ＬＣＤ２４３は、ＮＴＳＣ/ＰＡＬエンコーダー２４１から印加された映像が表示されるディスプレー装置である。
【００５２】
格納部２５０には、メイン制御ブロック３００から印加された映像データが格納されている。このような機能を行なう格納部２５０は、メモリカード２５１、ＴＩＣ２５３、およびＨＤＤ２５５を備える。
【００５３】
メモリカード２５１は、メイン制御ブロック３００から印加される映像データが格納される記録媒体として、携帯用複合装置に装着/分離できる着脱式ＩＣメモリカードの一種である。
【００５４】
ＴＩＣ（トランジションIC）２５３は、ＣＦインタフェース部３７３とＨＤＤ２５５との間のコンパクトフラッシュ（登録商標）インタフェースを提供するために使用されるが、汎用性が高いのでその互換性が優れる。すなわち、ＨＤＤ２５５は、ＴＩＣ２５３を介してコンパクトフラッシュ（登録商標）インタフェースに変換された後メイン制御ブロック３００と接続される。
【００５５】
ＨＤＤ２５５は、メイン制御ブロック３００から印加された映像データが格納される記録媒体である。
【００５６】
ＵＳＢインタフェース２６１は、外部装置のＰＣまたはプリンタとインタフェ-シングを行なう。
【００５７】
ＳＤＲＡＭ２６３は、携帯用複合装置の動作のために必要なデータなどが格納されるバッファとしてその機能を行なう。
【００５８】
オーディオ信号処理部２７０は、外部から入力されるオーディオ信号について所定の信号処理過程を行なってメイン制御ブロック３００に印加し、メイン制御ブロック３００から印加されるオーディオ信号について所定の信号処理過程を行なうことで外部オーディオ装置に出力する。このような機能を行なうオーディオ信号処理部２７０は、マイク２７１とオーディオＣＯＤＣＥ２７３を備える。マイク２７１は、外部から入力される音響信号を電気信号に変換する。
【００５９】
オーディオＣＯＤＥＣ２７３は、マイク２７１または外部オーディオ装置から入力されるアナログ信号をデジタル信号に変換した後、所定のフォーマットデータで圧縮しメイン制御ブロック３００に印加する。さらに、オーディオＣＯＤＣＥ２７３は、メイン制御ブロック３００から印加された圧縮されたデータを伸張し、アナログ信号に変換して外部オーディオ装置に伝送する。
【００６０】
以下、図２に示した携帯用複合装置で提供される記録媒体間の映像ファイル複写機能について、図３ないし図６を参照して詳細に説明する。理解のため、図３には図２に示されたモジュールのなか記録媒体間の映像ファイル複写機能を説明するためのモジュールのみを示し、図２で示されなかったモジュールであるメモリカード認識部２５２をさらに示した。
【００６１】
図３は記録媒体間の映像ファイル複写機能を説明するためのブロック図であり、図４Ａないし図４Ｄは記録媒体間の映像ファイル複写方法を説明するための流れ図であり、図５Ａないし図５Ｉは記録媒体間の映像ファイルを複写する過程においてＬＣＤに表示されるメニュー画面を示した図であり、図６はＨＤＤ２５５とメモリカード２５１のフォルダ構造を示した図である。
【００６２】
携帯用複合装置はユーザにＧＵＩとしてメニュー画面を提供し、ユーザはメニュー画面を介して機能選択および環境設定の機能を行なう。即ち、ユーザはモードボタン２３１ｇを押し、現選択された動作モードのサブメニュー画面を呼出したり、メニューボタン２３１ｅを押してモードボタン２３１ｇによって選択されたモードに対するサブメニュー画面を呼出せる。そして、メニューダイアル２３１ｆを上/下に回転させたり、巻き戻しボタン２３１ｈ/早送りボタン２３１ｉを用いることによってメニュー画面に表示されたカーソルを上/下に移動させ望むメニューにカーソルを位置させ得ると共に、メニューダイアル２３１ｆまたは再生/停止ボタン２３１ｊを押してカーソルが位置したメニューを選択するかカーソルが位置したメニューの機能を実行させるこができる。
【００６３】
この際、ユーザの操作命令は、第２の制御部２３３を介して第１の制御部３６０に伝達され、第１の制御部３６０は伝達された操作命令に応じてシステムバス３８０を介してＧＵＩ生成部３５０を制御する。ＧＵＩ生成部３５０は第１の制御部３６０の制御に応じて、ＭＵＸ３３０から印加される映像に当該のメニュー画面を組み合わせ、ＮＴＳＣ/ＰＡＬエンコーダー２４１に印加すると、ＮＴＳＣ/ＰＡＬエンコーダー２４１はメニュー画面が組み合わされた映像をＬＣＤ２４３に表示する。
【００６４】
以下、説明の便宜のためにユーザの操作命令が第１の制御部３６０へ伝達される過程とＧＵＩ生成部３５０が第１の制御部３６０の制御に従ってメニュー画面を映像に組み合わせる過程、およびＮＴＳＣ/ＰＡＬエンコーダー２４１がメニュー画面の組み合わされた映像をＬＣＤ２４３に表示する過程についての詳細な説明は省略することにする。尚、ユーザが操作部２３１を介して入力した操作命令に応じて、ＬＣＤ２４３に当該するメニュー画面が表示されることにつき簡略ながら説明する。
【００６５】
図４Ａに示したように、携帯用複合装置はユーザの選択によって、メモリカード１５１やＨＤＤ２５５に格納された静画ファイルを生成することができるが（Ｓ６００）、以下ではＳ６００にてなされる静画ファイルの再生過程について図４Ｂを参照しながら詳細に説明する。
【００６６】
ユーザが動作モード選択スイッチ２３１ｄを「再生」モードに位置させ、モードボタン２３１ｇを押すとＬＣＤ２４３に「再生」モードのメニュー画面が表示される（Ｓ６１０）。図５Ａには「再生」モードのメニュー画面を示した。
【００６７】
以降、ユーザが格納部２５０に格納された静画ファイルを再生するためのメニューである「フォト」メニューを選択すると、「フォト」メニュー画面が表示される（Ｓ６２０）。図５Ｂには「フォト」メニュー画面を示した。尚、モードボタン２３１ｇによって呼出されたメニューから「フォト」メニューに進入する場合を説明したが、一旦「フォト」メニューに進入した後メニュー画面が消えてしまった状態ではメニューボタン２３１ｅを押すとフォトメニューに対するサブメニュー（図５Ｂ）がディスプレーされる。ユーザが「記録媒体選択」メニューを選択すると（Ｓ６３０）、メモリカード認識部２５２は第１の制御部２６０の制御に応じて、メモリカード２５１が装着しているかを検出し、その検出結果を第１の制御部２６０に知らせる（Ｓ６４０）。
【００６８】
Ｓ６４０にてメモリカード２５１が装着されたと判断されれば（Ｓ６５０）、第１の制御部３６０はＧＵＩ生成部３５０を制御し、ＬＣＤ２４３に「ＨＤＤ」メニューと「メモリカード」メニューから構成された「記録媒体選択」メニュー画面を表示するが、ユーザは表示された「記録媒体選択」メニュー画面を参照し「ＨＤＤ」メニューと「メモリカード」メニューのいずれか１つを選択できる（Ｓ６６０）。一方、ＬＣＤ２４３に表示された「記録媒体選択」メニュー画面を図５Ｃに示した。
【００６９】
それから、Ｓ６６０にて選択された記録媒体に格納された静画ファイルがＬＣＤ２４３に再生される（Ｓ６７０）。詳細にＳ６６０にて「ＨＤＤ」メニューが選択されれば、第１の制御部３６０はＨＤＤ２５５に格納されたＪＰＥＧフォーマットで圧縮された静画ファイルをＴＩＣ２５３、ＣＦインタフェース部３７３およびシステムバス３８０を介してＣＯＤＥＣ３４０に印加して伸張させる。伸張された静画ファイルはＭＵＸ３３０およびＧＵＩ生成部３５０を介してＮＴＳＣ/ＰＡＬエンコーダー２４１に印加されれば、ＮＴＳＣ/ＰＡＬエンコーダー２４１は印加された静画ファイルをＬＣＤ２４３にディスプレーする。
【００７０】
そしてＳ６６０にて、「メモリカード」メニューが選択されれば、第１の制御部３６０はメモリカード２５１に格納されたＪＰＥＧフォーマットで圧縮された静画ファイルをメモリカードインタフェース３７１およびシステムバス３８０を介してＣＯＤＥＣ３４０に印加して伸張させる。伸張された静画ファイルはＭＵＸ３３０およびＧＵＩ生成部３５０を介してＮＴＳＣ/ＰＡＬエンコーダー２４１に印加され、ＮＴＳＣ/ＰＡＬエンコーダー２４１は印加された静画ファイルをＬＣＤ２４３にディスプレーする。
【００７１】
一方、Ｓ６４０にてメモリカード２５１が装着されていないと判断されると（Ｓ６５０）、第１の制御部３６０はＧＵＩ生成部３５０を制御し、ＬＣＤ２４３に「ＨＤＤ」メニューと非活性化された「メモリカード」メニューから構成された「記録媒体選択」メニュー画面を表示する。この際「メモリカード」メニューが非活性化されたので、ユーザは「ＨＤＤ」メニューのみを選択できる（Ｓ６８０）。尚、ＬＣＤ２４３に表示された「記録媒体選択」メニュー画面を図５Ｄに示した。「メモリカード」メニューを取り除き、「ＨＤＤ」メニューのみで構成された「記録媒体選択」メニュー画面を表示することもできる。
【００７２】
その後、ＨＤＤ２５５に格納されたＪＰＥＧフォーマットで圧縮された静画ファイルが伸張されＬＣＤ２４３にディスプレーされる（Ｓ６９０）。
【００７３】
以下、再び図４Ａを参照してＳ６００以降について詳細に説明する。格納部２５０に格納された静画ファイルの再生中に（Ｓ６００）、ユーザがメニューボタン２３１ｅを押してメニュー画面表示命令を入力すると（Ｓ７００）、第１の制御部３６０はＳ６６０またはＳ６８０にてユーザによって選択された記録媒体の種類を判断する（Ｓ７１０）。言い換えれば、第１の制御部３６０は現在に再生中である静画ファイルが格納された記録媒体がメモリカード２５１とＨＤＤ２５５のいずれかであるかを判断する。
【００７４】
Ｓ７１０にて選択された記録媒体がＨＤＤ２５５であると判断されれば（Ｓ７２０）、メモリカード認識部２５２は第１の制御部３６０の制御に応じてメモリカード２５１が装着しているかを検出し、その検出結果を第１の制御部２６０に知らせる（Ｓ７３０）。
【００７５】
Ｓ７３０にてメモリカード２５１が装着されたと判断されれば（Ｓ７４０）、第１の制御部３６０はＧＵＩ生成部３５０を制御し、ＬＣＤ２４３に「メモリカードに複写」メニューが含まれたメニュー画面を表示する（Ｓ７５０）。この際ＬＣＤ２４３に表示されたメニュー画面を図５Ｅに示した。
【００７６】
図５Ｅに示したメニュー画面の右側上部には、現在選択された記録媒体がＨＤＤ２５５であることを示す円筒型のアイコンが表示されている。従って、ユーザはメニュー画面に表示される円通型のアイコンと「メモリカードに複写」メニューを介して現在に選択された記録媒体と複写対象の記録媒体がひと目で分かる。
【００７７】
以後、ユーザがＳ７５０にて表示されたメニュー画面において「メモリカードに複写」メニューを選択すると（Ｓ７６０）、ＨＤＤ２５５に格納された静画ファイルがメモリカード２５１に複写されるが（Ｓ８００）、以下Ｓ８００の複写過程につき図４Ｃを参照して詳細に説明する。
【００７８】
Ｓ７６０にてユーザが「メモリカードに複写」メニューを選択すると、ＬＣＤ２４３に「メモリカードに複写」メニュー画面が表示されるが（Ｓ８０５）、この際表示されるメニュー画面を図５Ｆに示した。
【００７９】
ユーザはメニュー画面に表示されたメニューのうちいずれか１つを選択できる（Ｓ８１０）。Ｓ８１０にて、ユーザが現在に再生中の静画ファイルをメモリカード２５１に複写するためのメニューである「現在フォト複写」メニューを選択すると（Ｓ８１５）、第１の制御部３６０はＨＤＤ２５５に格納された現在に再生中の静画ファイルをＴＩＣ２５３、ＣＦインタフェース部３７３およびシステムバス３８０を介して読取って、メモリカードインタフェース部３７１を介してメモリカード２５１に格納することによって記録媒体間の複写がなされるようにする（Ｓ８２０）。
【００８０】
そして、Ｓ８１０にて、ユーザが現在に再生中である静画ファイルが格納されたＨＤＤ２５５に存する全ての静画ファイルをメモリカード２５１に複写するためのメニューである「全てのフォト複写」メニューを選択すると（Ｓ８２５）、第１の制御部３６０はＨＤＤ２５５に格納された全ての静画ファイルをＴＩＣ２５３、ＣＦインタフェース部３７３、およびシステムバス３８０を介して読取って、メモリカードインタフェース部３７１を介してメモリカード２５１に格納することによって、記録媒体間の複写がなされるようにする（Ｓ８３０）。
【００８１】
さらに、Ｓ８１０にて、ユーザが現在に再生中である静画ファイルが格納されたＨＤＤに存する静画ファイルの中から任意のファイルを選択してメモリカード２５１に複写するためのメニューである「選択フォト複写」メニューを選択すると（Ｓ８３５）、第１の制御部３６０はＨＤＤ２５５に格納された静画ファイルの中からユーザが操作部２３１を介して選択した静画ファイルをＴＩＣ２５３、ＣＦインタフェース部３７３およびシステムバス３８０を介して読取って、メモリカードインタフェース部３７１を介しメモリカード２５１に格納することによって、記録媒体間の複写がなされるようにする（Ｓ８４０）。
【００８２】
そして、Ｓ８１０にて、ユーザが現在に再生中である静画ファイルが格納されたＨＤＤに存する全てのファイルをメモリカード２５１に複写するためのメニューである「全てのファイル複写」メニューを選択すると（Ｓ８４５）、第１の制御部３６０はＨＤＤ２５５に格納された全てのファイルをＴＩＣ２５３、ＣＦインタフェース部３７３、およびシステムバス３８０を介して読取って、メモリカードインタフェース部３７１を介しメモリカード２５１に格納することによって、記録媒体間の複写がなされるようにする（Ｓ８５０）。
【００８３】
以下、Ｓ８２０、Ｓ８３０、Ｓ８４０、Ｓ８５０にてなされる記録媒体間の複写過程について、図６を参照して詳細に説明する。同図はＨＤＤ２５５とメモリカード２５１のフォルダ構造を示した図である。
【００８４】
同図に示したように、ＨＤＤ２５５とメモリカード２５１は、同一なフォルダ構造を有するため、ＨＤＤ２５５のフォルダ構造についてのみ説明する。
【００８５】
ＨＤＤ２５５には、ＤＣＦ（Design  Rule  for  Camera  File  System）規格に従って静画ファイルが格納される「ＤＣＩＭ」フォルダとその他の映像ファイルが格納される「ＭＳＡＭＳＵＮＧ」フォルダが備えられている。
【００８６】
「ＤＣＩＭ」フォルダには、下位フォルダである「１００ＳＧＤＶＣ」フォルダが備えられているが、「１００ＳＧＤＶＣ」フォルダには９９９９個の静画ファイルが格納できる。「１００ＳＧＤＶＣ」フォルダに９９９９個のファイルが格納されれば、「１０１ＳＧＤＶＣ」フォルダが自動に生成され、以後に生成される静画ファイルは「１０１ＳＧＤＶＣ」フォルダに記録される。
【００８７】
「１００ＳＧＤＶＣ」フォルダには、静画ファイルが「ＤＣＡＭxxxx.ＪＰＧ」のような形態のファイル名と拡張子として格納される。尚、「xxxx」は０００１から９９９９までの数字のいずれかであり、生成された順によって番号付けられる。「ＪＰＧ」は静画ファイルがＪＰＥＧフォーマットのファイルであることを示す拡張子である。
【００８８】
「ＭＳＡＭＳＵＮＧ」フォルダには、同画ファイルが格納される「ＭＯＶＩＥ」フォルダ、マイク２７１を介して録音し生成した音響ファイルが格納される「ＡＵＤＩＯ」フォルダ、ＭＰ３ファイルが格納される「ＭＰ３」フォルダが備えられている。
【００８９】
「ＭＯＶＩＥ」フォルダには、下位フォルダである「１００ＳＧＤＶＣ」フォルダが備えられており、「１０１ＳＧＤＶＣ」、「１０２ＳＧＤＶＣ」..「９９９ＳＧＤＶＣ」フォルダがさらに生成できる。
【００９０】
「１００ＳＧＤＶＣ」フォルダには動画ファイルが「ＤＣＡＭxxxx.ＡＶＩ」（xxxxは０００１から９９９９までの数字）の形態のファイル名と拡張子に格納される。さらに、動画ファイルが生成される場合、第１の制御部３６０は動画ファイルの名称、生成日、再生時間、動画の最初フレームまたは動画の最後フレームに関するデータから構成された付加情報ファイルを生成して「１００ＳＧＤＶＣ」フォルダへ共に格納する。付加情報ファイルは格納される動画ファイルとファイル名が同一であり、「ＴＨＭ」拡張子を有する。
【００９１】
付加情報ファイルは、動画ファイルを検索する場合、ユーザに動画ファイルに対する情報を提供することに用いられる。すなわち、第１の制御部３６０は動画ファイルの付加情報ファイルに記録されている名称、生成日、再生時間、動画の最初フレームまたは動画の最後フレームに関するデータを用いて生成した動画ファイルリストをＬＣＤ２４３に表示することで、ユーザがそれぞれの動画ファイルの内容を予想できるようにする。かかる方式で構成された動画ファイルリストは動画ファイル名のみで構成されたことにも係わらず、ユーザにその便利さを提供する。
【００９２】
「ＡＵＤＩＯ」フォルダの下位フォルダである「１００ＳＧＤＶＣ」フォルダには、マイク２７１を介して録音して生成した音響ファイルが「ＤＣＡＭxxxx.ＷＡＶ’（xxxx’は０００１から９９９９までの数字）の形態のファイル名と拡張子で格納される。
【００９３】
さらに、「ＭＰ３」フォルダの下位フォルダにはＭＰ３ファイルが格納されるが、この時フォルダ名とファイル名はユーザが任意に設定できるという意味でフォルダ名とファイル名をそれぞれ「ＦＲＥＥ」に示した。
【００９４】
以下、Ｓ６００にて現在に再生中である静画ファイルがＨＤＤ２５５の「ＤＣＩＭ」-「１００ＳＧＤＶＣ」フォルダに格納された「ＤＣＡＭ０００１.ＪＰＧ」ファイルであると仮定し、Ｓ８２０、Ｓ８３０、Ｓ８４０、Ｓ８５０につき説明する。
【００９５】
現在に再生中である静画ファイルがＨＤＤ２５５からメモリカード２５１に複写されるＳ８２０において、ＨＤＤ２５５の「ＤＣＩＭ」-「１００ＳＧＤＶＣ」フォルダに格納された「ＤＣＡＭ０００１.ＪＰＧ」ファイルが、メモリカード２５１の「ＤＣＩＭ」-「１００ＳＧＤＶＣ」フォルダに「ＤＣＡＭ０００１.ＪＰＧ」形態のファイル名と拡張子に格納される。
【００９６】
もし、メモリカード２５１の「ＤＣＩＭ」-「１００ＳＧＤＶＣ」フォルダに「ＤＣＡＭ０００１.ＪＰＧ」と同じファイル名を有する静画ファイルが存する場合、第１の制御部３６０はこれをＬＣＤ２４３を介してユーザに知らせ、ユーザは上書き、複写取消し、またはファイル名のなか数字部分を変更して格納するかどうかを選択する。前述のような、同一なファイルを有するファイルの複写処理過程はＳ８３０、Ｓ８４０、Ｓ８５０においても同一に適用される。
【００９７】
そして、ＨＤＤ２５５に格納された全ての静画ファイルがメモリカード２５１に複写されるＳ８３０においては、ＨＤＤ２５５の「ＤＣＩＭ」-「１００ＳＧＤＶＣ」フォルダに格納された全ての静画ファイルが、メモリカード２５１の「ＤＣＩＭ」-「１００ＳＧＤＶＣ」フォルダに同一なファイル名と拡張子で格納される。
【００９８】
さらに、ＨＤＤ２５５に格納された静画ファイルのなかで選択されたファイルのみがメモリカード２５１に複写されるＳ８４０にては、ＨＤＤ２５５の「ＤＣＩＭ」-「１００ＳＧＤＶＣ」フォルダに格納された全ての静画ファイルの中ユーザによって選択された静画ファイルのみが、メモリカード２５１の「ＤＣＩＭ」-「１００ＳＧＤＶＣ」フォルダに同一なファイル名と拡張子で格納される。
【００９９】
そして、ＨＤＤ２５５に格納された全てのファイルがメモリカード２５１に複写されるＳ８５０にては、ＨＤＤ２５５に格納された全てのファイルがメモリカード２５１に同一なファイル名と拡張子として格納され、それぞれ対応されるフォルダに格納される。特に、Ｓ８５０にては動画ファイルの付加情報ファイル（拡張子がＴＨＭである場合）もメモリカード２５１に同一なファイル名と拡張子で格納される。
【０１００】
詳細に、静画ファイルの場合はメモリカード２５１の「ＤＣＩＭ」-「１００ＳＧＤＶＣ」フォルダに格納され、動画ファイルと付加情報ファイルの場合はメモリカード２５１の「ＭＳＡＭＳＵＮＧ」−「ＭＯＶＩＥ」−「１００ＳＧＤＶＣ」フォルダに格納され、音響ファイルの場合はメモリカード２５１の「ＭＳＡＭＳＵＮＧ」−「ＡＵＤＩＯ」−「１００ＳＧＤＶＣ」フォルダに格納され、ＭＰ３ファイルの場合はメモリカード２５１の「ＭＳＡＭＳＵＮＧ」−「ＭＰ３」−「ＦＲＥＥ」フォルダに格納される。
【０１０１】
ＭＰ３ファイルが格納される「ＦＲＥＥ」フォルダは他のフォルダと相違にユーザが任意で命名できるフォルダであるため、ＨＤＤ２５５に備えられたフォルダと同じフォルダ名を有するフォルダがメモリカード２５１に存しない場合もある。この際、第１の制御部３６０はこれをＬＣＤ２４３を介してユーザに知らせ、ユーザは同じ名称のフォルダを新たに生成するか、既存のフォルダに格納するかにつき選択することができる。
【０１０２】
以下、図４Ａを参照して詳細に説明する。
【０１０３】
Ｓ７３０にて、メモリカード２５１が装着されていないと判断されると（Ｓ７４０）、第１の制御部３６０はＧＵＩ生成部３５０を制御しＬＣＤ２４３に「メモリカードに複写」メニューが非活性されたメニュー画面を表示する（Ｓ７７０）。尚、ＬＣＤ２４３に表示されたメニュー画面を図５Ｇに示したが、「メモリカードに複写」メニューが非活性化されたのでユーザはカーソルを前記メニューに移動させることができず、結果的に前記メニュー項目を選択することができない。
【０１０４】
一方、Ｓ７１０にて選択された記録媒体がメモリカード２５１であると判断されると（Ｓ７２０）、第１の制御部３６０はＧＵＩ生成部３５０を制御し、ＬＣＤ２４３に「ＨＤＤに複写」メニューが含まれたメニュー画面を表示する（Ｓ７８０）。この際、ＬＣＤ２４３に表示されたメニュー画面を図５Ｈに示した。
【０１０５】
図５Ｈに示しされたメニュー画面の右側上部には、現在に選択された記録媒体がメモリカード２５１であることを示す長方状のアイコンが表示されている。従って、ユーザはメニュー画面に表示された長方のアイコンと「メモリカードに複写」メニューを介して、現在選択された記録媒体と複写対象の記録媒体とをひとめで分かることができる。
【０１０６】
そして、Ｓ７５０（図５Ｅ）とＳ７８０（図５Ｈ）とを比較すると、メニュー画面には現在選択された記録媒体によって複写対象記録媒体が自動設定され表示されるので、ユーザは使用上において混乱せず、より便利にインタフェースできる。
【０１０７】
以後、ユーザがＳ７８０にて表示されたメニュー画面にて「ＨＤＤに複写」メニューを選択すると（Ｓ７９０）、メモリカード２５１に格納された静画ファイルがＨＤＤ２５５に複写される（Ｓ９００）。以下、Ｓ９００の複写過程につき、図４Ｄを参照して詳細に説明するが、その複写過程はＳ８００における複写過程に対称されるので簡略に説明する。
【０１０８】
Ｓ７９０にてユーザが「ＨＤＤに複写」メニューを選択すると、ＬＣＤ２４３に「ＨＤＤに複写」メニュー画面が表示される（Ｓ９０５）。尚、表示されるメニュー画面を図５Ｉに示した。
【０１０９】
ユーザは、メニュー画面に表示されるメニューの中からいずれか１つを選択できる（Ｓ９１０）。Ｓ９１０にて、ユーザが「現在フォト複写」メニューを選択すると（Ｓ９１５）、第１の制御部３６０はメモリカード２５１に格納された現に再生中である静画ファイルをＨＤＤ２５５に複写する（Ｓ９２０）。
【０１１０】
そして、Ｓ９１０にて、ユーザが「全てのフォト複写」メニューを選択すると（Ｓ９２５）、第１の制御部３６０はメモリカード２５１に格納された全ての静画ファイルをＨＤＤ２５５に複写する（Ｓ９３０）。
【０１１１】
さらに、Ｓ９１０にて、ユーザが「選択フォト複写」メニューを選択すると（Ｓ９３５）、第１の制御部３６０はメモリカード２５１に格納された静画ファイルの中でユーザが操作部２３１を介して選択したファイルをＨＤＤ２５５に複写する（Ｓ９４０）。
【０１１２】
そして、Ｓ９１０にて、ユーザが「全てのフォト複写」メニューを選択すると（Ｓ９４５）、第１の制御部３６０はメモリカード２５１に格納された全てのファイルをＨＤＤ２５５に複写する（Ｓ９５０）。
【０１１３】
一方、本実施形態における、第１の制御部３６０のロードを軽減させるためＧＵＩ生成部３５０、第２の制御部２３３、メモリカード認識部２５２を別に備えた。しかし、処理速度の高いプロセッサで第１の制御部３６０を具現する場合には、ＧＵＩ生成部３５０、第２の制御部２３３、メモリカード認識部２５２の役割を第１の制御部３６０に吸収させことで、これを省略することが可能となる。
【０１１４】
尚、本実施形態では、静画ファイルの記録媒体間の複写につき詳細に説明したが、これは一例に過ぎない。従って図５Ａのメニュー画面に示された「動画」メニュー、「ＭＰ３」メニュー、「オーディオ」メニューなどのサブメニューにある「記録媒体間の複写」メニューを用いて、それぞれ動画ファイル、ＭＰ３ファイル、オーディオファイルなどについて記録媒体間の複写を行うときにも本発明が適用されることが勿論である。
【図面の簡単な説明】
【０１１５】
【図１Ａ】本発明に係る携帯用複合装置の前面および右側面を示した斜視図である。
【図１Ｂ】携帯用複合装置の下部面を示した図である。
【図１Ｃ】携帯用複合装置の背面および左側面を示した斜視図である。
【図２】携帯用複合装置の内部ブロック図である。
【図３】記録媒体間の映像ファイル複写機能を説明するためのブロック図である。
【図４Ａ】本発明の一実施形態に係る記録媒体間の映像ファイル複写方法を説明するための流れ図である。
【図４Ｂ】本発明の一実施形態に係る記録媒体間の映像ファイル複写方法を説明するための流れ図である。
【図４Ｃ】本発明の一実施形態に係る記録媒体間の映像ファイル複写方法を説明するための流れ図である。
【図４Ｄ】本発明の一実施形態に係る記録媒体間の映像ファイル複写方法を説明するための流れ図である。
【図５Ａ】記録媒体間の映像ファイルを複写する過程において、ＬＣＤに表示されるメニュー画面を示した図である。
【図５Ｂ】記録媒体間の映像ファイルを複写する過程において、ＬＣＤに表示されるメニュー画面を示した図である。
【図５Ｃ】記録媒体間の映像ファイルを複写する過程において、ＬＣＤに表示されるメニュー画面を示した図である。
【図５Ｄ】記録媒体間の映像ファイルを複写する過程において、ＬＣＤに表示されるメニュー画面を示した図である。
【図５Ｅ】記録媒体間の映像ファイルを複写する過程において、ＬＣＤに表示されるメニュー画面を示した図である。
【図５Ｆ】記録媒体間の映像ファイルを複写する過程において、ＬＣＤに表示されるメニュー画面を示した図である。
【図５Ｇ】記録媒体間の映像ファイルを複写する過程において、ＬＣＤに表示されるメニュー画面を示した図である。
【図５Ｈ】記録媒体間の映像ファイルを複写する過程において、ＬＣＤに表示されるメニュー画面を示した図である。
【図５Ｉ】記録媒体間の映像ファイルを複写する過程において、ＬＣＤに表示されるメニュー画面を示した図である。
【図６】ＨＤＤとメモリカードのフォルダ構造を示した図である。
【符号の説明】
【０１１６】
２１０  撮影部
２３１  操作部
２３３  第２の制御部
２４０  表示部
２４３  ＬＣＤ
２５０  格納部
２５１  メモリカード
２５５  ＨＤＤ
３００  メイン制御ブロック
３４０  ＣＯＤＥＣ
３５０  ＧＵＩ生成部
３６０  第１の制御部
【図１Ａ】
2005198265.tif 000003
【図１Ｂ】
2005198265.tif 000004
【図１Ｃ】
2005198265.tif 000005
【図２】
2005198265.tif 000006
【図３】
2005198265.tif 000007
【図４Ａ】
2005198265.tif 000008
【図４Ｂ】
2005198265.tif 000009
【図４Ｃ】
2005198265.tif 000010
【図４Ｄ】
2005198265.tif 000011
【図５Ａ】
2005198265.tif 000012
【図５Ｂ】
2005198265.tif 000013
【図５Ｃ】
2005198265.tif 000014
【図５Ｄ】
2005198265.tif 000015
【図５Ｅ】
2005198265.tif 000016
【図５Ｆ】
2005198265.tif 000017
【図５Ｇ】
2005198265.tif 000018
【図５Ｈ】
2005198265.tif 000019
【図５Ｉ】
2005198265.tif 000020
【図６】
2005198265.tif 000021